(57)【要約】【課題】種々の機種の電気掃除機の集塵部に装着しうると共に、製造設備の大型化を招かず、しかも容易に使用できる電気掃除機用集塵袋を提供する。【解決手段】開口部を有する袋本体１０と導入口２１を有する口紙２０とを、開口部と導入口２１とが導通するように接着する。口紙２０の下端部２３に凹部２３ａ、２３ｂを形成すると共に、下端部２３の導入口２１側にミシン目２３ｃを形成して、凹凸形状とする。上端部２２の導入口２１側には、上下方向の長さを調整するミシン目２２ａ、２２ｂを設ける。左端部２４の導入口２１側には、導入口２１の中心と同じ高さに凹部を形成するためのミシン目２４ａを設ける。右端部２５の導入口２１側は、取付孔やミシン目を形成せず、略一様な平面とする。【選択図】　図２
2004000326.tif 000002
【特許請求の範囲】
【請求項１】
開口部を有する袋本体と導入口を有する口紙とを、前記開口部と前記導入口とが導通するように接着してなる電気掃除機用集塵袋であって、
前記口紙の外周は、下端部と、該下端部に続く左端部と、該左端部に続く上端部と、該上端部に続き、前記下端部に到達する右端部とからなり、
前記下端部又は該下端部の前記導入口側には、凹凸部又は凹凸部を形成する手段が設けられ、
前記上端部の前記導入口側には、上下方向の長さを調整する手段が設けられ、
前記左端部又は該左端部の前記導入口側には、少なくとも該導入口の中心から垂下した垂線上に凹部又は凹部を形成する手段が設けられ、
かつ、前記右端部の前記導入口側が略一様な平面に形成されていることを特徴とする電気掃除機用集塵袋。
【請求項２】
開口部を有する袋本体と導入口を有する口紙とを、前記開口部と前記導入口とが導通するように接着してなる電気掃除機用集塵袋であって、
前記口紙の外周は、下端部と、該下端部に続く左端部と、該左端部に続く上端部と、該上端部に続き、前記下端部に到達する右端部とからなり、
前記下端部又は該下端部の前記導入口側には、凹凸部又は凹凸部を形成する手段が設けられ、
前記上端部の前記導入口側には、上下方向の長さを調整する手段が設けられ、
前記右端部又は該右端部の前記導入口側には、少なくとも該導入口の中心から垂下した垂線上に凹部又は凹部を形成する手段が設けられ、
かつ、前記左端部の前記導入口側が略一様な平面に形成されていることを特徴とする電気掃除機用集塵袋。
【請求項３】
開口部を有する袋本体と導入口を有する口紙とを、前記開口部と前記導入口とが導通するように接着してなる電気掃除機用集塵袋であって、
前記口紙の外周は、下端部と、該下端部に続く左端部と、該左端部に続く上端部と、該上端部に続き、前記下端部に到達する右端部とからなり、
前記下端部又は該下端部の前記導入口側には、凹凸部又は凹凸部を形成する手段が設けられ、
前記上端部の前記導入口側には、上下方向の長さを調整する手段が設けられ、
前記左端部の前記導入口側には、少なくとも該導入口の中心から垂下した垂線上に凹部を形成する手段が設けられ、
かつ、前記右端部又は該右端部の前記導入口側には、少なくとも該導入口の中心から垂下した垂線上に凹部又は凹部を形成する手段が設けられていることを特徴とする電気掃除機用集塵袋。
【請求項４】
開口部を有する袋本体と導入口を有する口紙とを、前記開口部と前記導入口とが導通するように接着してなる電気掃除機用集塵袋であって、
前記口紙の外周は、下端部と、該下端部に続く左端部と、該左端部に続く上端部と、該上端部に続き、前記下端部に到達する右端部とからなり、
前記下端部又は該下端部の前記導入口側には、凹凸部又は凹凸部を形成する手段が設けられ、
前記上端部の前記導入口側には、上下方向の長さを調整する手段が設けられ、
前記右端部の前記導入口側には、少なくとも該導入口の中心から垂下した垂線上に凹部を形成する手段が設けられ、
かつ、前記左端部又は該左端部の前記導入口側には、少なくとも該導入口の中心から垂下した垂線上に凹部又は凹部を形成する手段が設けられていることを特徴とする電気掃除機用集塵袋。
【請求項５】
前記袋本体の平面形状が矩形状であって、該袋本体の長辺方向と前記口紙の上下方向とが直交するように、前記袋本体と前記口紙とが接着されていることを特徴とする請求項１から請求項４の何れかに記載の電気掃除機用集塵袋。
【請求項６】
前記口紙と前記袋本体とが、前記口紙の下端部が、前記袋本体の一の長辺の外側になるように接着されていることを特徴とする請求項５に記載の電気掃除機用集塵袋。
【請求項７】
前記袋本体の短辺の長さが、１１３〜１２２ｍｍであることを特徴とする請求項５又は請求項６に記載の電気掃除機用集塵袋。
【請求項８】
前記袋本体が、前記口紙の前記左端部の前記導入口側と、前記右端部の前記導入口側とで、各々折り曲げられていることを特徴とする請求項１から請求項７の何れかに記載の電気掃除機用集塵袋。
【発明の詳細な説明】
【０００１】
【発明の属する技術分野】
本考案は電気掃除機用集塵袋に関する。さらに詳しくは、種々の機種の電気掃除機の集塵部に容易に装着しうる電気掃除機用集塵袋に関する。
【０００２】
【従来の技術】
電気掃除機用集塵袋としては、開口部を有する袋本体と導入口を有する口紙とを、これら導入口と開口部とを略同一の位置になるように接着してなるものが一般的である。そして、従来より、この口紙の形状を工夫することにより、種々の機種の電気掃除機の集塵部に適合可能とした電気掃除機用集塵袋が販売されている。
口紙の形状に関する発明としては、たとえば、特許第２５６２０８号、実公平６−０２５２５１号等に記載されている発明が挙げられる。これらの発明に係る集塵袋の口紙には、高さ調節のためのミシン目、及び取付孔又は取付孔を形成するためのミシン目等が形成されている。
そして、高さ調節のためのミシン目を適宜切り取ることにより、種々の機種の電気掃除機の集塵部の大きさに適合できるようになっている。また取付孔を有することにより、集塵部に取付ピンを備える電気掃除機にも適合可能とされている。
【０００３】
【発明が解決しようとする課題】
しかしながら、上記従来の電気掃除機用集塵袋では、取付孔を設けていたため、製造工程において、孔の打ち抜き作業が繁雑であった。すなわち、口紙は通常強度を持たせるため厚紙等で形成されるが、厚紙等に小孔を確実に形成するためには、厚紙等に打ち抜き刃を貫通させなければならず、製造設備の大型化を招いていた。
一方、取付孔に代えて取付孔を形成するためのミシン目等を設ける場合には、打ち抜き刃を貫通させなくてもミシン目等を形成可能である。しかしながら、この場合使用者がミシン目等を切り離す作業が必要となるが、通常の直径が５〜６．５ｍｍ程度である小孔を指で明けるのは難しく、ペン等、細い棒状物を使用せざるを得ず煩雑であった。
【０００４】
本発明は、上記問題点に鑑みてなされたもので、種々の機種の電気掃除機の集塵部に装着しうると共に、製造設備の大型化を招かず、しかも容易に使用できる電気掃除機用集塵袋を提供することを課題とする。
【０００５】
【課題を解決するための手段】
本発明は上記課題を解決するため、開口部を有する袋本体と導入口を有する口紙とを、前記開口部と前記導入口とが導通するように接着してなる電気掃除機用集塵袋であって、前記口紙の外周は、下端部と、該下端部に続く左端部と、該左端部に続く上端部と、該上端部に続き、前記下端部に到達する右端部とからなり、前記下端部又は該下端部の前記導入口側には、凹凸部又は凹凸部を形成する手段が設けられ、前記上端部の前記導入口側には、上下方向の長さを調整する手段が設けられ、前記左端部又は該左端部の前記導入口側には、少なくとも該導入口の中心から垂下した垂線上に凹部又は凹部を形成する手段が設けられ、かつ、前記右端部の前記導入口側が略一様な平面に形成されていることを特徴とする電気掃除機用集塵袋を提供する。
【０００６】
また、開口部を有する袋本体と導入口を有する口紙とを、前記開口部と前記導入口とが導通するように接着してなる電気掃除機用集塵袋であって、前記口紙の外周は、下端部と、該下端部に続く左端部と、該左端部に続く上端部と、該上端部に続き、前記下端部に到達する右端部とからなり、前記下端部又は該下端部の前記導入口側には、凹凸部又は凹凸部を形成する手段が設けられ、前記上端部の前記導入口側には、上下方向の長さを調整する手段が設けられ、前記右端部又は該右端部の前記導入口側には、少なくとも該導入口の中心から垂下した垂線上に凹部又は凹部を形成する手段が設けられ、かつ、前記左端部の前記導入口側が略一様な平面に形成されていることを特徴とする電気掃除機用集塵袋を提供する。
【０００７】
また、開口部を有する袋本体と導入口を有する口紙とを、前記開口部と前記導入口とが導通するように接着してなる電気掃除機用集塵袋であって、前記口紙の外周は、下端部と、該下端部に続く左端部と、該左端部に続く上端部と、該上端部に続き、前記下端部に到達する右端部とからなり、前記下端部又は該下端部の前記導入口側には、凹凸部又は凹凸部を形成する手段が設けられ、前記上端部の前記導入口側には、上下方向の長さを調整する手段が設けられ、前記左端部の前記導入口側には、少なくとも該導入口の中心から垂下した垂線上に凹部を形成する手段が設けられ、かつ、前記右端部又は該右端部の前記導入口側には、少なくとも該導入口の中心から垂下した垂線上に凹部又は凹部を形成する手段が設けられていることを特徴とする電気掃除機用集塵袋を提供する。
【０００８】
また、開口部を有する袋本体と導入口を有する口紙とを、前記開口部と前記導入口とが導通するように接着してなる電気掃除機用集塵袋であって、前記口紙の外周は、下端部と、該下端部に続く左端部と、該左端部に続く上端部と、該上端部に続き、前記下端部に到達する右端部とからなり、前記下端部又は該下端部の前記導入口側には、凹凸部又は凹凸部を形成する手段が設けられ、前記上端部の前記導入口側には、上下方向の長さを調整する手段が設けられ、前記右端部の前記導入口側には、少なくとも該導入口の中心から垂下した垂線上に凹部を形成する手段が設けられ、かつ、前記左端部又は該左端部の前記導入口側には、少なくとも該導入口の中心から垂下した垂線上に凹部又は凹部を形成する手段が設けられていることを特徴とする電気掃除機用集塵袋を提供する。
【０００９】
本発明において、前記袋本体の平面形状が矩形状であって、該袋本体の長辺方向と前記口紙の上下方向とが直交するように、前記袋本体と前記口紙とが接着されていることが好ましい。
また、前記口紙と前記袋本体とが、前記口紙の下端部が、前記袋本体の一の長辺の外側になるように接着されていることが好ましい。
また、前記袋本体の短辺の長さが、１１３〜１２２ｍｍであることが好ましく、１１３〜１１７ｍｍであることがより好ましい。
さらに、前記袋本体が、前記口紙の前記左端部の前記導入口側と、前記右端部の前記導入口側とで、各々折り曲げられていることが好ましい。
【００１０】
本発明の電気掃除機用集塵袋では、左端部側又は右端部側の一方において、導入口中心と同等の高さ位置に、凹部又は凹部を形成する手段が設けられているので、集塵部に取付ピンを備える掃除機であっても、凹部、又は凹部形成手段を用いて形成した凹部の位置を取付ピン等の位置に併せることによって装着が可能である。
また、他方の左端部側又は右端部側が略一様な平面に形成されており、取付孔や取付孔を形成するためのミシン目等が形成されていない。そのため、製造設備の大型化を招かず、しかも容易に使用できる。
【００１１】
【発明の実施の形態】
以下、本発明の実施形態を図面を参照して説明するが、本発明は以下の実施形態に限定されるものではない。図１は、第１実施形態に係る電気掃除機用集塵袋の一例で、開口部１１を有する袋本体１０に、導入口２１を有する口紙２０が、開口部１１と導入口２１の中心が略一致するように接着されている。
【００１２】
袋本体１０は、集塵された塵埃を収集し、さらにたとえばダニなどの害虫をも捕獲することができるものであり、その素材としてはたとえばパルプ、天然または合成繊維、天然または合成樹脂、ゴム、金属などの材料を紙、フィルム、織布、不織布、シート、プレート、ピースまたは棒状体などの素材に加工した濾材を単独または積層したものが用いられる。
袋本体１０は、１枚の袋体で形成されていてもよく、また２枚以上の複数の層を有する袋体で形成されていてもよい。２枚以上の複数の層を有する袋体であるばあい、集塵袋本体の内側にある袋体（以下、内袋という）に大きな塵埃を除去しうる孔を有する袋体を用い、集塵袋本体の外側にある袋体（以下、外袋という）に微細な塵埃を除去しうる孔を有する袋体であるのが、集塵袋本体の目詰まりを防ぐうえで好ましい。また、袋本体１０には、捕獲された害虫を防除するために活性物質を固定化してもよく、また袋本体１０内に前記活性物質を固定化したマットまたはシートを設けてもよい。
【００１３】
口紙２０としては、電気掃除機の集塵部に取付を可能とするため、ある程度の強度を有する素材が用いられる。たとえばパルプ、天然または合成繊維、天然または合成樹脂、ゴム、金属などの材料を、紙、フィルム、織布、不織布、シートまたはプレートなどの素材に加工し、これら素材を単独または積層したものが用いられる。
【００１４】
図２に示すように、口紙２０の外周は、略円弧状の上端部２２と、この上端部２２と導入口２１を挟んで反対側の下端部２３と、上端部２２と下端部２３の各々の左端を結ぶ左端部２４と、上端部２２と下端部２３の各々の右端を結ぶ右端部２５とから構成されている。
【００１５】
下端部２３には、凹部２３ａ、２３ｂが設けられている。また、下端部２３の導入口２１側には、凹部形成手段であるミシン目２３ｃが設けられている。そして、ミシン目２３ｃを切り取るか否かによって、下端部２３が異なる凹凸形状とされるようになっている。
また、上端部２２の導入口２１側には、上下方向の長さ、すなわち下端部２３からの距離の調整手段であるミシン目２２ａ、２２ｂが設けられており、上下方向の長さを２段階で調整できるようになっている。
また、左端部２４の導入口２１側には、導入口２１の中心と同じ高さ位置に（導入口２１の中心から左端部２４に垂下した垂線上に）ミシン目２４ａが、そのやや下方にミシン目２４ｂが形成されている。そして、ミシン目２４ａを切り取ることにより、左端部２４に略正方形の凹部が形成され、これにより、取付ピン等、集塵室内の突状物に適応可能となっている。また、ミシン目２４ｂを切り取ることにより、左端部２４に細幅の切り込み状の凹部が形成されるようになっている。
また、右端部２５は略直線状に形成されており、右端部２５の導入口２１側には、取付孔やミシン目等は設けられていない。すなわち、略一様な平面状に形成されている。
【００１６】
一方、口紙２０の内周２１ａの外側には、導入口拡張手段である環状のミシン目２１ｂが設けられている。そして、このミシン目２１ｂを切り取るか否かにより、導入口２１の大きさと若干の位置調整がされるようになってる。
図３は、口紙２０に形成されたミシン目を、総て切り取った際の斜視図である。
【００１７】
また、図２に示すように、袋本体１０の開口部１１を形成する内周１１ａの外側にも環状のミシン目１１ｂが設けられると共に、内周１１ａとミシン目１１ｂとの間を放射状につなぐ複数のミシン目１１ｃが設けられている。そして、このミシン目１１ｂ、１１ｃを切り取るか否かにより、開口部１１の大きさと若干の位置調整がされるようになってる。なお、ミシン目１１ｂとミシン目２１ｂとは、平面視略同一の箇所になるようにされている。
【００１８】
袋本体１０は、平面形状が長辺１２ａ、１２ｂと短辺１３ａ、１３ｂとを有する略矩形状である。短辺１３ａ、１３ｂの長さＬは、１１３〜１２２ｍｍとされている。そのため、袋本体１０を電気掃除機の集塵室に装着しやすくなっている。また、口紙２０との接着面積を十分に確保できるようになっている。一方、長辺１２ａ、１２ｂの長さは、２３３〜２４２ｍｍとされている。
短辺１３ａ、１３ｂの内側には、図４に示すように、袋本体１０の両端部を封止するための折り曲げ部１４ａ、１４ｂとが形成されている。また、図５、図６に示すように、袋本体１０の長さ方向に沿って、蛇腹部１６ａ、１６ｂが形成されている。
【００１９】
図２等に示すように、袋本体１０の長辺１２ａ、１２ｂの方向と口紙２０の上下方向、すなわち、上端部２２から下端部２３に下ろした垂線方向とが直交するように、袋本体１０と口紙２０とが接着されている。
また、口紙２０の下端部２３が袋本体１０の長辺１２ｂよりも外側にはみ出るように接着されている。なお、このはみ出し幅は、ミシン目２３ｃを切り取った場合にも下端部から袋本体がはみ出ないよう、十分な幅とされている。これにより、下端部２３側を挿入先端として電気掃除機の集塵室に装着する際に、袋本体１０が集塵室の部材に挟まれて開きにくくなることを防止できる。
なお、袋本体１０と口紙２０との接着面は、各ミシン目を避けるように、外周、内周の双方から、十分に内側の範囲とされている。
【００２０】
また、本実施形態の電気掃除機用集塵袋は、図２、図４に示す折り曲げ線１７ａ、１７ｂにおいて、口紙２０側を外側として図７に示すように折り畳まれる。そして、この折り畳まれた状態で外袋に収納され、販売に供される。これにより、左端部２４側を挿入先端として電気掃除機の集塵室に装着する際に、袋本体１０が集塵室の部材に挟まれて開きにくくなることを防止できる。
本実施形態の電気掃除機用集塵袋は、集塵室内において、図８に示すように袋本体１０を十分に膨らませることができる。
【００２１】
図９は、第２実施形態に係る電気掃除機用集塵袋の一例で、開口部３１を有する袋本体３０に、導入口４１を有する口紙４０が、開口部３１と導入口４１の中心が略一致するように接着されている。また、口紙４０の導入口４１の周りにパッキン５０が接着されている。本実施形態が第１実施形態と異なる点は、口紙の形状と、袋本体の開口部周辺と、パッキン５０が用いられている点である。
【００２２】
図９に示すように、本実施形態の口紙４０の外周は、段差を設けて形成された上端部４２と、この上端部４２と導入口４１を挟んで反対側の下端部４３と、上端部４２と下端部４３の各々の左端側を結ぶ左端部４４と、上端部４２と下端部４３の各々の右端側を結ぶ右端部４５とから構成されている。
【００２３】
下端部４３の導入口４１側には、凹部形成手段であるミシン目４３ａが設けられている。そして、ミシン目４３ａを切り取ることによって、下端部４３が凹凸形状とされるようになっている。
また、上端部４２は、下端部４３から高さ方向に最も離れた位置の中央突出部４２ａと、その両側の左平坦部４２ｂ、右平坦部４２ｃと、中央突出部４２ａと左平坦部４２ｂとをつなぐ位置に形成された略円形の凹部４２ｄと、中央突出部４２ａと右平坦部４２ｃとをつなぐ位置に形成された略円形の凹部４２ｅとから構成される。
また、上端部４２の導入口４１側には、上下方向の長さ、すなわち下端部４３からの距離の調整手段であるミシン目４７、４８が設けられている。この内、ミシン目４７は直線状で、下端部４３からの距離が、上端部４２における左平坦部４２ｂ及び右平坦部４２ｃと同一とされている。また、ミシン目４８は、略直線状であるが、両端付近に導入口４１側に屈曲する屈曲部４８ａ、４８ｂを有している。
これら、２つのミシン目４７、４８により、上下方向の長さを２段階で調整できるようになっている。なお、凹部４２ｄ、４２ｅが設けられていることにより、ミシン目４７の切断が容易とされている。また、左端部４４のミシン目４８と接する位置に切り込み部４４ａが、右端部４５のミシン目４８と接する位置に切り込み部４５ａが各々形成され、ミシン目４８での切断が容易とされている。
また、ミシン目４８を切断した場合は、屈曲部４８ａ、４８ｂにより、第１実施形態の凹部２３ａ、２３ｂと同等の凹部が形成されるようになっている。
【００２４】
また、左端部４４には、導入口４１の中心と同じ高さ位置に（導入口４１の中心から左端部４４に垂下した垂線上に）略正方形の凹部４４ｂが、そのやや下方にミシン目４４ｃが形成されている。そして、凹部４４ｂにより、取付ピン等、集塵室内の突状物に適応可能となっている。また、ミシン目４４ｃを切り取ることにより、左端部４４に細幅の切り込み状の凹部が形成されるようになっている。
また、右端部４５は、切り込み部４５ａを除いて略直線状に形成されており、右端部４５の導入口４１側には、取付孔やミシン目等は設けられていない。すなわち、略一様な平面状に形成されている。
【００２５】
一方、口紙４０の内周４１ａの内側は、導入口４１となってる。また、袋本体３０の内周３１ａの内側は、開口部３１となっている。内周４１ａと内周３１ａ、及びパッキン５０の内周５１ａとは、平面視略同一の箇所になるようにされている。
【００２６】
袋本体３０は、平面形状が長辺３２ａ、３２ｂと短辺３３ａ、３３ｂとを有する略矩形状である。短辺３３ａ、３３ｂの長さＬ’は、１１３〜１２２ｍｍとされている。
一方、長辺３２ａ、３２ｂの長さは、２３３〜２４２ｍｍとされている。これにより、複数の電気掃除機用集塵袋を折り畳んで外袋内に重ねて収納した際に、折り曲げた部分や袋端が、他の電気掃除機用集塵袋のパッキン５０上に位置しないようにすることが可能であり、収納保管中にパッキン５０に皺がつくことを防止できる。
また、第１実施形態の袋本体１０と同様に、短辺３３ａ、３３ｂの内側には、袋本体３０の両端部を封止するための折り曲げ部が形成されている。また、袋本体３０の長さ方向に沿って、蛇腹部が形成されている。
【００２７】
本実施形態においても、袋本体３０の長辺３２ａ、３２ｂの方向と口紙４０の上下方向、すなわち、上端部４２から下端部４３に下ろした垂線方向とが直交するように、袋本体３０と口紙４０とが接着されている。
また、口紙４０の下端部４３が袋本体３０の長辺３２ｂよりも外側にはみ出るように接着されている。なお、このはみ出し幅は、ミシン目４３ａを切り取った場合にも下端部から袋本体がはみ出ないよう、十分な幅とされている。これにより、下端部４３側を挿入先端として電気掃除機の集塵室に装着する際に、袋本体１０が集塵室の部材に挟まれて開きにくくなることを防止できる。
なお、袋本体３０と口紙４０との接着面は、各ミシン目や凹部を避けるように、外周、内周の双方から、十分に内側の範囲とされている。
【００２８】
また、本実施形態の電気掃除機用集塵袋も、折り曲げ線３７ａ、３７ｂにおいて、口紙４０側を外側として折り畳まれ、この折り畳まれた状態で外袋に収納され、販売に供される。これにより、電気掃除機の集塵室に装着する際に、袋本体３０が集塵室の部材に挟まれて開きにくくなることを防止できる。
【００２９】
また、折り曲げ線３７ａ、３７ｂは、パッキン５０の外周５１ｂの接線上、又は外周５１ｂの若干外側とされている。そのため、複数の電気掃除機用集塵袋を折り畳んで外袋内に重ねて収納した際に、折り曲げ線３７ａ、３７ｂで折り曲げた部分が他の電気掃除機用集塵袋のパッキン５０上に位置しないので、収納保管中にパッキン５０に皺がつくことを防止できる。
また、折り曲げ線３７ａから短辺３３ａまでの長さ、又は折り曲げ線３７ｂから短辺３３ｂまでの長さの少なくとも一方は、パッキン５０の外周５１ｂの直径よりも長くされている。そのため、複数の電気掃除機用集塵袋を折り畳んで外袋内に重ねて収納した際に、短辺３３ａ、又は３３ｂが、他の電気掃除機用集塵袋のパッキン５０上に位置しないので、収納保管中にパッキン５０に皺がつくことを防止できる。
とりわけ、折り畳んだ際に外側になる側の短辺から折り曲げ線までの長さが、パッキン５０の外周５１ｂの直径よりも長くすることにより、他の電気掃除機用集塵袋のパッキン５０の範囲を覆うようにすることができ、皺の発生を防止できる。
本実施形態の電気掃除機用集塵袋も、集塵室内において、十分に膨らませることができる。
【００３０】
なお、第１実施形態及び第２実施形態において、左端部側に凹部又は凹部形成手段を設けたが、右端部側に設けても差し支えない。この場合、左端部を略直線状に形成し、左端部の導入口側は取付孔等を有しない略一様な平面状とすることができる。
【００３１】
図１０は、第３実施形態に係る電気掃除機用集塵袋の一例である。図１０において、図２に示した第１実施形態と同一の構成要素には、同一の符号を付してその説明を省略する。
本実施形態に係る電気掃除機用集塵袋は、口紙２０において、右端部２５の導入口２１の中心と略同一の高さ位置に（導入口２１の中心から右端部２５に垂下した垂線上に）略正方形の凹部２５ａが形成されている点のみにおいて、第１実施形態に係る電気掃除機用集塵袋と相違する。
本実施形態では、左右双方の凹部又は凹部を形成する手段によって、取付ピン等、集塵室内の突起物に適応可能となっている。
なお、本実施形態では、右端部側に凹部、左端部側に凹部を形成する手段であるミシン目を設けたが、左端部側に凹部、右端部側に凹部を形成する手段であるミシン目を設ける構成も採用できる。また、左端部側と右端部側双方に凹部ではなく凹部を形成する手段を形成しても良い。
【００３２】
図１１は、第４実施形態に係る電気掃除機用集塵袋の一例である。図１１において、図９に示した第２実施形態と同一の構成要素には、同一の符号を付してその説明を省略する。
本実施形態に係る電気掃除機用集塵袋は、口紙４０において、右端部４５の導入口４１の中心と略同一の高さ位置に（導入口４１の中心から右端部４５に垂下した垂線上に）略正方形の凹部を形成可能なミシン目４５ａが形成されている点のみにおいて、第３実施形態に係る電気掃除機用集塵袋と相違する。
本実施形態では、左右双方の凹部又は凹部を形成する手段によって、取付ピン等、集塵室内の突起物に適応可能となっている。
なお、本実施形態では、左端部側に凹部、右端部側に凹部を形成する手段であるミシン目を設けたが、右端部側に凹部、左端部側に凹部を形成する手段であるミシン目を設ける構成も採用できる。また、左端部側と右端部側双方に凹部ではなく凹部を形成する手段を形成しても良い。
【００３３】
なお、上記各実施形態において、長さ調節手段、及び凹部や凹凸部の形成手段がミシン目である場合について説明したが、かかる各手段としては、ミシン目の他に、切溝や切り取り位置を示すガイドなどがあげられる。
また、袋本体の蛇腹部を、単一の谷折り部を有するシングルタイプとしたが、ダブルタイプ等、２個以上の谷折り部を有するものとしても良い。
【００３４】
【発明の効果】
以上詳述したように、本発明の電気掃除機用集塵袋は、種々の機種の電気掃除機の集塵部に装着しうると共に、製造設備の大型化を招かず、しかも使用時に、電気掃除機の集塵室に容易に装着が可能なものである。
【図面の簡単な説明】
【図１】本発明の第１実施形態に係る電気掃除機用集塵袋の斜視図である。
【図２】本発明の第１実施形態に係る電気掃除機用集塵袋の正面図である。
【図３】本発明の第１実施形態に係る電気掃除機用集塵袋において、口紙に形成されたミシン目を総て切断した状態を示す斜視図である。
【図４】本発明の第１実施形態に係る電気掃除機用集塵袋の背面図である。
【図５】図２のＡ−Ａ線拡大断面図である。
【図６】図２のＢ−Ｂ線拡大断面図である。
【図７】本発明の第１実施形態に係る電気掃除機用集塵袋を折り畳んだ状態の斜視図である。
【図８】本発明の第１実施形態に係る電気掃除機用集塵袋が膨らんだ状態の斜視図である。
【図９】本発明の第２実施形態に係る電気掃除機用集塵袋の正面図である。
【図１０】本発明の第３実施形態に係る電気掃除機用集塵袋の正面図である。
【図１１】本発明の第４実施形態に係る電気掃除機用集塵袋の正面図である。
【符号の説明】
１０…袋体、１１…開口部、２０…口紙、２１…導入口、
２２…上端部、２３…下端部、２４…左端部、２５…右端部、
１７ａ・１７ｂ…折り曲げ線、２１ａ…内周、２３ａ・２３ｂ…凹部、
２１ｂ・２２ａ・２２ｂ・２３ｃ・２４ａ・２４ｂ…ミシン目
【図１】
2004000326.tif 000003
【図２】
2004000326.tif 000004
【図３】
2004000326.tif 000005
【図４】
2004000326.tif 000006
【図５】
2004000326.tif 000007
【図６】
2004000326.tif 000008
【図７】
2004000326.tif 000009
【図８】
2004000326.tif 000010
【図９】
2004000326.tif 000011
【図１０】
2004000326.tif 000012
【図１１】
2004000326.tif 000013